(57)【要約】【課題】開封が容易であるとともに、密閉性に優れ、且つ低コストで生産可能なゲーブルトップ型紙容器を提供することを課題とする。【解決手段】切妻屋根型の頭頂部を有し、開封時には、一方の妻側の折合せ部を左右両側に押し広げ、山形折り込み部１を前方に突出させることによって、菱形の注ぎ口を形成可能な紙容器において、前記注ぎ口を構成する折合せ部の外側側面ＢＣＤに、一以上の水平方向の補強線Ｌが形成されていることを特徴とする、易開封性紙容器。また、前記注ぎ口を構成する折合せ部の内側側面ＡＢＣには、一以上の垂直方向の補強線Ｌ’が形成されていることが好ましい。さらにまた、前記内側側面には、山形折り込み部１を前方に突出させる際の指当て位置を指示する印３が、山形折り込み部１の底辺から１／３〜２／３の高さに設けられていることが好ましい。【選択図】図２
2007099391.tif 000002
【特許請求の範囲】
【請求項１】
切妻屋根型の頭頂部を有する四角柱状の紙容器であって、
二組の対向する四角形状の側パネルを有し、
前記頭頂部は、一組の対向パネルの上部に形成された山形折り込み部を内側に折り込んで、もう一組の対向パネルの上部を切妻屋根状に折り合わせて密封状態とすることにより形成され、
開封時には、一方の妻側の折合せ部を左右両側に押し広げ、前記山形折り込み部を前方に突出させることによって、菱形の注ぎ口を形成可能な紙容器において、
前記注ぎ口を構成する折合せ部の外側側面に、一以上の水平方向の補強線が形成されていることを特徴とする、
易開封性紙容器。
【請求項２】
前記注ぎ口を構成する折合せ部の内側側面に、一以上の垂直方向の補強線が形成されている、請求項１に記載の紙容器。
【請求項３】
前記水平方向の補強線及び垂直方向の補強線が、それぞれ二本ないし五本である、請求項２に記載の紙容器。
【請求項４】
前記注ぎ口を構成する折合せ部の内側側面に、前記山形折り込み部を前方に突出させる際の指当て位置を指示する印を設け、該印が、前記山形折り込み部の底辺から１／３〜２／３の高さにある、請求項１〜３のいずれか１項に記載の紙容器。
【請求項５】
切妻屋根型の頭頂部を有する四角柱状の紙容器であって、
二組の対向する四角形状の側パネルを有し、
前記頭頂部は、一組の対向パネルの上部に形成された山形折り込み部を内側に折り込んで、もう一組の対向パネルの上部を切妻屋根状に折り合わせて密封状態とすることにより形成され、
開封時には、一方の妻側の折合せ部を左右両側に押し広げ、前記山形折り込み部を前方に突出させることによって、菱形の注ぎ口を形成可能な紙容器において、
前記注ぎ口を構成する折合せ部の内側側面に、前記山形折り込み部を前方に突出させる際の指当て位置を指示する印を設け、該印が、前記山形折り込み部の底辺から１／３〜２／３の高さにあることを特徴とする、
易開封性紙容器。
【発明の詳細な説明】
【技術分野】
【０００１】
本発明は、開封が容易な紙容器に関する。より詳しくは、開封が容易な切妻屋根型の頭頂部を有する四角柱状の紙容器に関する。
【背景技術】
【０００２】
切妻屋根型の頭頂部を有する四角柱状の紙容器（いわゆるゲーブルトップ型紙容器）は、飲料等の液体を入れるために汎用されている容器である。この紙容器は、二組の対向する四角形状の側パネルを有し、前記頭頂部は、一組の対向パネルの上部に形成された山形折り込み部を内側に折り込んで、もう一組の対向パネルの上部を切妻屋根状に折り合わせて密封状態とすることにより形成される。頭頂部の密着は、上部を強く厚着することにより行われ、外気温、湿度、保存期間等の条件による紙質の変化によっても、内容物が漏れないように、しっかりと接着されている。
【０００３】
上述したゲーブルトップ型紙容器を開封する際には、一方の妻側の折合せ部を左右両側に押し広げ、前記山形折り込み部を前方に突出させることによって、菱形の注ぎ口を形成する。しかし、頭頂部の密着が強固であるため、うまく開封できない場合が多々ある。
【０００４】
このような問題を解決する紙容器として、例えば特許文献１及び２の発明がある。
【０００５】
特許文献１の紙容器によれば、板紙素材にハーフカット線を設け、そのハーフカット線を摘みとして引張ることにより、折込型注出スパウトを開口させることができるので、開封操作を衛生的に、容易に、確実に行うことができる。また、開封時にハーフカット線を剥離して摘み部を形成するものであるので、製函時、容器取扱い中には邪魔にならず、さらに、紙容器が密封された状態では、頂部に形成された切妻型屋根に覆われているので、紙容器の取扱い中に間違ってハーフカット線が剥れることはない。
【０００６】
また、特許文献２の紙容器によれば、開封時のはじめに、トップシールを形成する切妻屋根形成パネルにおける外側シールパネルの半分長さ部を引き剥がして除去するようにしたので、内側に折り込まれているスパウト（注出口）パネルである上記妻壁形成パネルの内側シールパネルが開口しやすく，ユーザの開封作業が簡便になる。
【特許文献１】特開平１０−２３６４６１号公報
【特許文献２】特開２０００−７９９３９号公報
【発明の開示】
【発明が解決しようとする課題】
【０００７】
しかし、特許文献１の紙容器では、ハーフカット線を設ける必要があるため、密封性を損なう危険性がある。また、特許文献２の紙容器では、トップの厚着部を変形するため、紙のロスを伴うとともに、コスト高になるという問題がある。
【０００８】
ゲーブルトップ型紙容器は、液体を内容物とすることが多いため、密閉性を損なう恐れのある改良は好まれず、また、毎日大量に消費される商品であるため、コストを最低限に押さえることが望ましい。
【０００９】
本発明は、このような点に鑑み、開封が容易であるとともに、密閉性に優れ、且つ低コストで生産可能なゲーブルトップ型紙容器を提供することを課題とする。
【課題を解決するための手段】
【００１０】
本発明は、切妻屋根型の頭頂部を有する四角柱状の紙容器であって、二組の対向する四角形状の側パネルを有し、前記頭頂部は、一組の対向パネルの上部に形成された山形折り込み部を内側に折り込んで、もう一組の対向パネルの上部を切妻屋根状に折り合わせて密封状態とすることにより形成され、開封時には、一方の妻側の折合せ部を左右両側に押し広げ、前記山形折り込み部を前方に突出させることによって、菱形の注ぎ口を形成可能な紙容器において、前記注ぎ口を構成する折合せ部の外側側面に、一以上の水平方向の補強線Ｌを形成することによって、上記課題を解決したものである（図２ａ参照）。
【００１１】
開封操作の第１段階として、折合せ部を左右両側に開き、後方の屋根部に当たるまで押し広げた際、山形折り込み部（図４参照：三角形ＡＢＢ）の頂点Ａ付近に反発力（Ｃ→Ａ向き力）が集中する。この紙容器によれば、注ぎ口を構成する折合せ部の外側側面に、一以上の水平方向の補強線Ｌが設けられおり、紙が水平方向に補強されているため、前記反発力が力点（Ａ点付近）に効果的に集中し、より開封し易くなっている。
【００１２】
また、前記注ぎ口を構成する折合せ部の内側側面には、一以上の垂直方向の補強線Ｌ’が形成されていることが好ましい（図２ｂ参照）。
【００１３】
開封操作の第２段階として、押し広げた面の両側側辺（辺ＢＣ）に指を当てて、山形折り込み部を前方に突出させる際、Ａ点付近を起点とする反発力が働く（図４参照：Ａ→Ｃ向きの力）。この紙容器によれば、折合せ部の内側側面に、一以上の垂直方向の補強線Ｌ’が設けられており、内側側面の紙が、力のかかる向きに曲がり易くなっているため、内側側面の紙が外側側面の紙からより剥がれ易く、開封がより容易である。
【００１４】
また、前記水平方向の補強線及び垂直方向の補強線を、それぞれ二本ないし五本とすることにより、折合せ部の外側側面の紙を水平方向により強固にし、内側側面の紙を水平方向により曲がり易くすることができるため、開封がより容易に行える。
【００１５】
また、前記注ぎ口を構成する折合せ部の内側側面に、前記山形折り込み部を前方に突出させる際に指を当てる位置を指示する印を、前記山形折り込み部の底辺から１／３〜２／３の高さに設けることが好ましい。
【００１６】
従来のゲーブルトップ型紙容器においては、注ぎ口を押し出す際の指当て位置は、図柄等により、糊代部（Ｇ部）付近と指示されている。しかし、辺ＢＣの真ん中付近に指を当てることにより、開封により大きな力が必要となるため、より大きな力が点Ａ付近にかかり、その結果、失敗なく開封することができる。従って、山形折り込み部の底辺から１／３〜２／３の高さに印を設けて、指を当てる位置を誘導することにより、より容易且つきれいに開封させることが可能になる。
【発明の効果】
【００１７】
本発明の紙容器は、折合せ部の外側側面に設けられた水平方向の補強線により、開封操作時の力を、密着が一番最初に外れる箇所である、山形折り込み部の頂点付近に効果的に集中させることができる。また、折合せ部の内側側面に設けられた垂直方向の補強線により、内側側面の紙を水平方向に曲がりやすくして、密着を剥がれ易くすることができる。さらに、山形折り込み部の底辺から１／３〜２／３の高さに、指当て位置を指示する印を設けることによって、開封に好適な位置に利用者の指を誘導することができる。本発明の紙容器によれば、開封が容易であるとともに、従来のゲーブルトップ型紙容器の形状を変更する必要がないため、密閉性を損なうことなく、また、大幅な設計変更を伴わずに、製造することができる。
【発明を実施するための最良の形態】
【００１８】
本発明の補強線は、紙の強度を線方向に増すことができるものであれば特に限定されず、例えばエンボス加工によるものであってもよく、印刷によって設けた凸線であってもよく、また、紙容器の折り目線と同様に押型等により設けた筋目（凹線）であってもよく、あるいは線状の部材を貼り付けたものであってもよい。
【００１９】
水平方向の補強線及び垂直方向の補強線は、少なくともいずれか一方が二本ないし五本であることが好ましく、三本ないし四本であることがより好ましい。さらに好ましくは、両方が二本ないし五本形成されたものであり、特に好ましくは両方が三本ないし四本形成されたものである。
【００２０】
水平方向の線Ｌが１本の場合、線ＬはＢＣ間の中心付近に形成されることが好ましい。線Ｌが複数本の場合は、ＢＣ間の中点を中心に均等に形成されることが好ましい。
【００２１】
垂直方向の線Ｌ’が１本の場合、線Ｌ’はＡＣ間の中心付近に形成されることが好ましい。線Ｌ’が複数本の場合は、ＡＣ間の中点を中心に均等に形成されることが好ましい。
【００２２】
指当て位置を指示する印は、前記山形折り込み部の底辺から１／３〜２／３の高さにあることが好ましい。特に好ましいのは、約１／２の高さである。補強線Ｌ及びＬ’がない場合であっても、上記位置に指当て位置を指示する印を設けることにより、開け易さが非常に向上し、開封に失敗する確率が小さくなる。
【００２３】
以下、実施例により本発明に係る易開封性紙容器をより詳細に説明する。
【実施例１】
【００２４】
図１は、本発明に係る易開封性紙容器の一実施例を示す斜視図であり（密封状態）、図２は図１の紙容器であって、ａは密封状態の左側面図、ｂは折合せ部を左右に広げた状態の正面図であり、図３は、図１の紙容器の開封方法を示す図である。
【００２５】
本発明に係る紙容器は、図１に示すように切妻屋根型の頭頂部を有する四角柱状の紙容器であって、二組の対向する四角形状側パネル（Ｘ及びＸ'並びにＹ及びＹ'  Ｘ'とＹ'は図に現れない）を有し、前記頭頂部は、一組の対向パネル（Ｘ及びＸ'）の上部に形成された山形折り込み部１を内側に折り込んで、もう一組の対向パネル（Ｙ及びＹ'）の上部２を切妻屋根状に折り合わせて密封状態とすることにより形成されている。
【００２６】
開封時には、一方の妻側の、合掌状態に接着されている２つの折合せ部を左右両側に押し広げ、前記山形折り込み部１を前方に突出させることによって、菱形の注ぎ口を形成する（図３参照）。
【００２７】
本実施例の紙容器は、折合せ部の外側側面（図２ａ参照：三角形ＢＣＤ部）に、４本の水平方向の補強線Ｌが形成され、内側側面（図２ｂ参照：三角形ＡＢＣ部）には、４本の垂直方向の補強線Ｌ’が形成され、前記山形折り込み部の底辺から１／２高さに、山形折り込み部を前方に突出させて注ぎ口を形成する際の指当て位置を指示する印３（矢印形）が設けられている。補強線Ｌ、Ｌ’はいずれも紙パックの折れ目線と同様の凹線であり、押型で形成したものである。また、いずれも糊代部Ｇを除いた箇所に形成され、さらに、垂直線Ｌ’の上端と糊代部Ｇの下辺との間には、容器の密閉性を確保するため、１ｍｍ程度の隙間が空けられている。
【００２８】
紙容器の開封方法は、指当て位置以外は従来と全く同様である。すなわち、まず、合掌形に接着されている２つの折合せ部を左右両側に開き（図３ａ参照）、後方の屋根部に当たるまで押し広げる（図３ｂ参照）。この際、折合せ部の外側側面が、補強線Ｌにより力のかかる方向に補強されているため、山形折り込み部の頂点付近に反発力がより効果的に集中する。次に、押し広げた面の両側側辺に指を当てて、山形折り込み部の頂点を先端として前方に突出させる（図３ｃ参照）。この際、折合せ部の外側側面の紙は補強線Ｌにより力のかかる方向に対してより曲がりにくく、折合せ部の内側側面の紙は補強線Ｌ’により力のかかる方向に対してより曲がり易くなっているため、内側側面の紙はより容易に外側側面の紙から剥がれる。
【００２９】
また、本実施例の紙容器には、山形折り込み部の底辺から約１／２の高さ（すなわち、辺ＢＣの中点付近）に、指当て位置を示す矢印が設けられているため、開封操作の際に、実施者の指はこの印に誘導され、この位置に力がかけられる。糊代部Ｇ（密着部）から遠ざかるほど、開封に大きな力が必要となるため、糊代部付近に力を加える場合に比べて、より大きな力が点Ａ付近にかかることになる。その反動で、糊代部Ｇの密着が勢いよく剥がれ、失敗なく確実に開封することができる。
【図面の簡単な説明】
【００３０】
【図１】図１は、本発明に係る易開封性紙容器の一実施例を示す斜視図である（密封状態）。
【図２】図２は、図１の紙容器であって、ａは密封状態の左側面図、ｂは折合せ部を左右に広げた状態の正面図である。
【図３】図３は、図１の紙容器の開封方法を示す図である。
【図４】図４は、従来の紙容器であって、折合せ部を左右に広げて屋根部に押し付けた状態の平面図である。
【符号の説明】
【００３１】
１  山形折り込み部
２  側パネルＹの上部
３  指当て位置を指示する印
Ｌ  折合せ部外側の水平方向の補強線
Ｌ’折合せ部内側の垂直方向の補強線
Ｘ  側パネル
Ｙ  側パネル
Ｇ  糊代部
Ｇ’糊代部
【図１】
2007099391.tif 000003
【図２】
2007099391.tif 000004
【図３】
2007099391.tif 000005
【図４】
2007099391.tif 000006